(57)【特許請求の範囲】
【請求項１】
情報処理部と情報表示部とが一体の情報処理装置において、前記情報処理装置の発熱部に装着された冷却ジャケットと放熱部との間で熱媒体を循環させることで前記発熱部の冷却を行う冷却方法であって、
前記情報処理装置の停止後も、前記発熱部が前記熱媒体の循環を行う規定温度以下になるまで前記熱媒体の前記循環を継続させることを特徴とする冷却方法。
【請求項２】
情報処理部と情報表示部とが一体の情報処理装置において、前記情報処理装置の発熱部に装着された冷却ジャケットと放熱部との間で熱媒体を循環させることで前記発熱部の冷却を行う冷却方法であって、
前記情報処理装置の停止の有無を検出するステップと、
前記停止後における前記発熱部の温度を検出するステップと、
前記発熱部が前記熱媒体の循環を行う規定温度以下になるまで前記熱媒体の前記循環を継続させるステップと、
を含むことを特徴とする冷却方法。
【請求項３】
情報処理部と情報表示部とが一体の情報処理装置において、前記情報処理装置の発熱部に装着された冷却ジャケットと放熱部との間で熱媒体を循環させることで前記発熱部の冷却を行う冷却方法であって、
前記熱媒体を循環させるポンプが、外部から供給される動作電力の電圧に比例して流量が増加する特性を有しているとき、一定の前記電圧の下で、前記動作電力の印加期間および停止期間の少なくとも一方の長短を制御することで、前記流量の制御を行うことを特徴とする冷却方法。
【請求項４】
情報処理部と情報表示部とが一体の情報処理装置において、前記情報処理装置の発熱部に装着された冷却ジャケットと放熱部との間で熱媒体を循環させることで前記発熱部の冷却を行う冷却方法であって、
前記熱媒体を循環させるポンプが、外部から供給される動作電力の周波数に比例して流量が増加する特性を有しているとき、一定の前記周波数の下で、前記動作電力の印加期間および停止期間の少なくとも一方の長短を制御することで、前記流量の制御を行うことを特徴とする冷却方法。
【請求項５】
情報処理部と情報表示部とが一体の情報処理装置に備えられ、前記情報処理装置の発熱部に装着された冷却ジャケットと、放熱部と、前記冷却ジャケットと前記放熱部との間で熱媒体を強制的に循環させる循環手段と、を含む冷却システムであって、
前記熱媒体の循環経路の温度を測定する温度測定手段と、前記温度測定手段からの温度情報に基づいて前記循環手段の動作を制御する機能を備えた温度制御手段とを備え、
前記温度制御手段は、前記情報処理装置の停止後も、前記発熱部が前記熱媒体の循環を行う規定温度以下になるまで前記熱媒体の前記循環を継続させる機能を備えたことを特徴とする冷却システム。
【請求項６】
情報処理部と情報表示部とが一体の情報処理装置に備えられ、前記情報処理装置の発熱部に装着された冷却ジャケットと、放熱部と、前記冷却ジャケットと前記放熱部との間で熱媒体を強制的に循環させる循環手段と、を含む冷却システムであって、
前記熱媒体の循環経路の温度を測定する温度測定手段と、前記温度測定手段からの温度情報に基づいて前記循環手段の動作を制御する機能を備えた温度制御手段とを備え、
前記循環手段は、外部から供給される動作電力の電圧に比例して流量が増加する特性を有し、
前記温度制御手段は、一定の前記電圧の下で、前記動作電力の印加期間および停止期間の少なくとも一方の長短を制御することで、前記流量の制御を行う機能を備えたことを特徴とする冷却システム。
【請求項７】
情報処理部と情報表示部とが一体の情報処理装置に備えられ、前記情報処理装置の発熱部に装着された冷却ジャケットと、放熱部と、前記冷却ジャケットと前記放熱部との間で熱媒体を強制的に循環させる循環手段と、を含む冷却システムであって、
前記熱媒体の循環経路の温度を測定する温度測定手段と、前記温度測定手段からの温度情報に基づいて前記循環手段の動作を制御する機能を備えた温度制御手段とを備え、
前記循環手段は、外部から供給される動作電力の周波数に比例して流量が増加する特性を有し、
前記温度制御手段は、一定の前記周波数の下で、前記動作電力の印加期間および停止期間の少なくとも一方の長短を制御することで、前記流量の制御を行う機能を備えたことを特徴とする冷却システム。
【請求項８】
情報処理部と情報表示部とが一体の情報処理装置であって、請求項１，２，３または４記載の冷却方法が実施されることを特徴とする情報処理装置。
【請求項９】
情報処理部と情報表示部とが一体の情報処理装置であって、請求項５，６または７記載の冷却システムを備えたことを特徴とする情報処理装置。
【発明の詳細な説明】
【０００１】
【発明の属する技術分野】
本発明は、冷却技術ならびに情報処理装置に関し、特に、省スペース型のパーソナルコンピュータ等の冷却技術等に適用して有効な技術に関する。
【０００２】
【従来の技術】
たとえば、半導体技術等の進展に伴って、パーソナルコンピュータ等に用いられるマイクロプロセッサの性能向上は著しく、特に、その動作周波数は、ギガヘルツレベルの製品が普及してきている。
【０００３】
一方、ユーザの省スペース化への要望や、液晶ディスプレイの低価格化に伴って、液晶ディスプレイと本体とをヒンジで結合することにより折り畳み可能にした、いわゆるノートブックタイプの携帯型パーソナルコンピュータ、さらには液晶ディスプレイの背面や下部にパーソナルコンピュータ本体を一体化させた、ディスプレイ一体型のデスクトップ型パーソナルコンピュータ等が広範に普及してきている。
【０００４】
このような省スペース型のパーソナルコンピュータに、ギガヘルツレベルの高性能のマイクロプロセッサを実装して製品化する場合、マイクロプロセッサの冷却（放熱）が技術的課題の一つとなる。
【０００５】
従来では、マイクロプロセッサの近傍や筐体の一部に冷却ファンを配置してマイクロプロセッサ部分を通過する気流を強制的に形成することで放熱を行うことが知られている。
【０００６】
【発明が解決しようとする課題】
ところが、現状のギガヘルツレベルの高速なマイクロプロセッサでは、動作時に多量の熱が放出されるため、ファンを用いた空冷方法では放熱が不十分となり、強いて行おうとすると、大型のファンが必要となり、ファンや筐体寸法の大型化、消費電力の増大、騒音の増大、等のような、他の技術的課題が生じる。
【０００７】
一般に省スペース型のパーソナルコンピュータでは、小型、静粛性、低消費電力等は重要なセールスポイントであり、上述のような、筐体寸法の大型化、消費電力の増大、騒音の増大は、省スペース型のパーソナルコンピュータを製品化する上で大きな技術的課題となる。
【０００８】
このため、熱媒体として液体を用いることで大きな冷却能力を実現可能な液冷式の冷却方法を採用することが考えられる。その場合、ポンプを用いて液体である熱媒体をマイクロプロセッサ等の発熱部とラジエータ等の放熱部との間で循環させる必要があるが、通常、ポンプは、印加周波数や印加の大小で流量を制御するため、熱媒体の流量のきめ細かな制御のためには、周波数制御回路、あるいは電圧制御回路等の複雑な回路を必要とする、という技術的課題があった。
【０００９】
また、マイクロプロセッサ等の放熱部は、一定の熱容量を有しているため、システム停止後、直ちに熱媒体による冷却を停止したのでは、余熱によって、マイクロプロセッサ等の放熱部の温度が急激に上昇し、熱応力等によるマイクロプロセッサ等の放熱部の損傷が懸念される。
【００１０】
本発明の目的は、省スペース型のパーソナルコンピュータ等の情報処理装置における小型化、静粛性、低消費電力等の実現と、高い動作周波数のマイクロプロセッサの採用による高性能化とを両立させることが可能な技術を提供することにある。
【００１１】
本発明の他の目的は、液冷方式の冷却システムを備えた省スペース型のパーソナルコンピュータ等の情報処理装置において、熱媒体の循環系の構成や制御の簡略化を実現することにある。
【００１２】
本発明の他の目的は、液冷方式の冷却システムを備えた省スペース型のパーソナルコンピュータ等の情報処理装置において、停止後の余熱による障害を防止することにある。
【００１３】
【課題を解決するための手段】
本発明は、情報処理部と情報表示部とが一体の情報処理装置において、情報処理装置の発熱部に装着された冷却ジャケットと放熱部との間で熱媒体を循環させることで発熱部の冷却を行う冷却方法であって、情報処理装置の停止後も、発熱部が前記熱媒体の循環を行う規定温度以下になるまで熱媒体の循環を継続させるものである。
【００１４】
本発明は、情報処理部と情報表示部とが一体の情報処理装置において、情報処理装置の発熱部に装着された冷却ジャケットと放熱部との間で熱媒体を循環させることで発熱部の冷却を行う冷却方法であって、情報処理装置の停止の有無を検出するステップと、停止後における発熱部の温度を検出するステップと、発熱部が前記熱媒体の循環を行う規定温度以下になるまで熱媒体の循環を継続させるステップと、を含むものである。
【００１５】
本発明は、情報処理部と情報表示部とが一体の情報処理装置において、情報処理装置の発熱部に装着された冷却ジャケットと放熱部との間で熱媒体を循環させることで発熱部の冷却を行う冷却方法であって、熱媒体を循環させるポンプが、外部から供給される動作電力の電圧に比例して流量が増加する特性を有しているとき、一定の電圧の下で、動作電力の印加期間および停止期間の少なくとも一方の長短を制御することで、流量の制御を行うものである。
【００１６】
本発明は、情報処理部と情報表示部とが一体の情報処理装置において、情報処理装置の発熱部に装着された冷却ジャケットと放熱部との間で熱媒体を循環させることで発熱部の冷却を行う冷却方法であって、熱媒体を循環させるポンプが、外部から供給される動作電力の周波数に比例して流量が増加する特性を有しているとき、一定の周波数の下で、動作電力の印加期間および停止期間の少なくとも一方の長短を制御することで、流量の制御を行うものである。
【００１７】
本発明は、情報処理部と情報表示部とが一体の情報処理装置に備えられ、情報処理装置の発熱部に装着された冷却ジャケットと、放熱部と、冷却ジャケットと放熱部との間で熱媒体を強制的に循環させる循環手段と、を含む冷却システムであって、熱媒体の循環経路の温度を測定する温度測定手段と、温度測定手段からの温度情報に基づいて循環手段の動作を制御する機能を備えた温度制御手段とを備え、温度制御手段は、情報処理装置の停止後も、発熱部が前記熱媒体の循環を行う規定温度以下になるまで熱媒体の循環を継続させる機能を備えたものである。
【００１８】
本発明は、情報処理部と情報表示部とが一体の情報処理装置に備えられ、情報処理装置の発熱部に装着された冷却ジャケットと、放熱部と、冷却ジャケットと放熱部との間で熱媒体を強制的に循環させる循環手段と、を含む冷却システムであって、熱媒体の循環経路の温度を測定する温度測定手段と、温度測定手段からの温度情報に基づいて循環手段の動作を制御する機能を備えた温度制御手段とを備え、循環手段は、外部から供給される動作電力の電圧に比例して流量が増加する特性を有し、温度制御手段は、一定の電圧の下で、動作電力の印加期間および停止期間の少なくとも一方の長短を制御することで、流量の制御を行う機能を備えたものである。
【００１９】
本発明は、情報処理部と情報表示部とが一体の情報処理装置に備えられ、情報処理装置の発熱部に装着された冷却ジャケットと、放熱部と、冷却ジャケットと放熱部との間で熱媒体を強制的に循環させる循環手段と、を含む冷却システムであって、熱媒体の循環経路の温度を測定する温度測定手段と、温度測定手段からの温度情報に基づいて循環手段の動作を制御する機能を備えた温度制御手段とを備え、循環手段は、外部から供給される動作電力の周波数に比例して流量が増加する特性を有し、温度制御手段は、一定の周波数の下で、動作電力の印加期間および停止期間の少なくとも一方の長短を制御することで、流量の制御を行う機能を備えたものである。
【００２０】
【発明の実施の形態】
以下、本発明の実施の形態を図面を参照しながら詳細に説明する。
【００２１】
図１および図２は、本発明の一実施の形態である冷却方法を実施する冷却システムを備えた情報処理装置の作用の一例を示す線図であり、図３および図５は、本実施の形態の情報処理装置における冷却システムの構成の一例を示す概念図、図４および図６は、その作用の一例を示す説明図、図７は本実施の形態の情報処理装置の内部構造の一例を示す斜視図、図８は、本実施の形態の別の情報処理装置の外観の一例を示す斜視図、図９および図１０は、その内部構造の一例を示す斜視図である。
【００２２】
（実施の形態１）
図３に例示されるように、本実施の形態の冷却システム１０は、冷却システム１０の全体の制御を行うサーマルセンサコントロールＩＣ等の制御部１１、後述の情報処理装置２０を構成するマイクロプロセッサ等からなるＣＰＵ２１に装着される冷却ジャケット１３、放熱を行うラジエータ１４、冷却ジャケット１３とラジエータ１４の間でチューブ１６を介して熱媒体Ｍを強制的に循環させるポンプ１２、ポンプ１２を駆動するポンプ駆動部１５、冷却ジャケット１３の温度を検出して温度情報Ｔ１として制御部１１に入力するサーマルセンサＳ１、ラジエータ１４の温度を検出して温度情報Ｔ２として制御部１１に入力するサーマルセンサＳ２、等で構成されている。
【００２３】
ポンプ駆動部１５は、後述の情報処理装置２０を構成するＬＣＤバックライト２３を駆動するＬＣＤ用インバータ２４、さらにはマザーボード２７の直流電源となるＤＣ／ＤＣコンバータ２６、等に電力を供給するＡＣアダプタ２５からスイッチ１５ａを介して動作電力の供給を受ける。
【００２４】
また、制御部１１には、必要に応じて、ポンプ１２に装着され、当該ポンプ１２の温度を温度情報Ｔ３として入力するサーマルセンサＳ３、チューブ１６に装着され、当該チューブ１６の温度を温度情報Ｔ４として入力するサーマルセンサＳ４、後述のノートブック型の情報処理装置２０のヒンジを通るチューブ１６の温度を温度情報Ｔ５として入力するサーマルセンサＳ５、等が必要に応じて接続される。
【００２５】
制御部１１は、上述の、温度情報Ｔ１、Ｔ２、Ｔ３、Ｔ４、Ｔ５の少なくとも一つの情報等に応じて、ポンプ駆動部１５に制御インタフェース１１ａを介して制御量を出力したり、ＡＬＡＲＴ１信号Ａ１を介してスイッチ１５ａのＯＮ／ＯＦＦを行うことで、ポンプ１２の動作制御を行う制御機能を備えている。
【００２６】
図３の構成例のポンプ１２は、図１の線図に例示されるように、制御部１１からポンプ駆動部１５に設定される周波数の増大に比例して熱媒体Ｍの流量が増加する特性を備えている。
【００２７】
図４は、温度情報Ｔ１、Ｔ２の測定結果に応じた制御部１１の制御動作に用いる各種パラメータの設定例を示している。
【００２８】
図３の構成例では、制御部１１がポンプ１２を制御するためにポンプ駆動部１５に与える制御インタフェース１１ａとしてポンプ１２の駆動周波数およびＯＮ／ＯＦＦの間隔の長短制御を用いる場合を例示している。すなわち、ポンプ駆動部１５は、制御部１１から内部のトランス駆動ＩＣ１５ｂに設定される周波数が可変の動作電力、および一定周波数でのＯＮ／ＯＦＦ間隔が可変の動作電力をポンプ１２に出力することでポンプ１２のＯＮ／ＯＦＦや流量を制御する。
【００２９】
図５および図６には、変形例として、制御部１１がポンプ１２を制御するためにポンプ駆動部１５に与える制御インタフェース１１ｂとしてポンプ１２の駆動電圧およびＯＮ／ＯＦＦの間隔の長短制御を用いる場合を例示している。すなわち、ポンプ駆動部１５は、制御部１１から内部のトランス駆動ＩＣ１５ｂに設定される電圧が可変の動作電力、およびＯＮ／ＯＦＦ間隔が可変の動作電力をポンプ１２に出力することでポンプ１２の流量を制御する。
【００３０】
図５の構成例のポンプ１２は、図２の線図に例示されるように、制御部１１からポンプ駆動部１５に設定される電圧の増大に比例して熱媒体Ｍの流量が増加する特性を備えている。
【００３１】
この図４および図６のパラメータ設定例では、熱媒体Ｍとして、たとえば、凍結温度が０℃の水を用いた場合の温度の値が例示されているが、熱媒体Ｍの凍結温度に応じて種々変更しうることは言うまでもない。
【００３２】
さらに、制御部１１は、情報処理装置２０に備えられたキーボードコントローラ２２にＡＬＡＲＴ２信号Ａ２、ＡＬＡＲＴ３信号Ａ３を出力することで、たとえば、情報処理装置２０全体の動作を正常な手続きで停止させるシャットダウン処理、ＣＰＵ２１の動作周波数を定格時よりも低くして動作させるＣＰＵスロットリング、等の情報処理装置２０の状態制御を行うことが可能になっている。
【００３３】
すなわち、パーソナルコンピュータ等の情報処理装置２０では、特定のキーボード操作にてシャットダウン処理やＣＰＵスロットリングを実行することが可能になっており、制御部１１は、この特定のキーボード操作と等化な状態を、ＡＬＡＲＴ２信号Ａ２、ＡＬＡＲＴ３信号Ａ３にてキーボードコントローラ２２の内部に発生させることで当該シャットダウン処理やＣＰＵスロットリングを実現する。
【００３４】
また、制御部１１は、キーボードコントローラ２２の動作の可否を判別することで、当該キーボードコントローラ２２を含む情報処理装置２０の全体が動作停止か否かを判別する。
【００３５】
これらの制御部１１の制御機能は、たとえば内蔵される図示しないマイクロコンピュータ等にて実現することができる。
【００３６】
次に、本実施の形態の情報処理装置２０の構成の一例について、図７を参照して説明する。図７に例示される情報処理装置２０は、本体部２０ａと、ディスプレイ部２０ｂとが、ヒンジ部２０ｃを介して折り畳み可能に一体に結合された構成となっている、いわゆるノートブックタイプの省スペース型のパーソナルコンピュータからなる。
【００３７】
本体部２０ａには、ＣＰＵ２１、バスコントローラ等の周辺チップ２８ｃ、磁気ディスク装置等の外部記憶装置２８ａ、ＣＤ−ＲＯＭ等の可換型記憶媒体を駆動する外部記憶装置２８ｂ、本体駆動バッテリ２９、さらには、図７では図示していないが、キーボードコントローラ２２、ＬＣＤ用インバータ２４、等がマザーボード２７に搭載された状態で実装されている。
【００３８】
また、ディスプレイ部２０ｂには、液晶パネル２０ｄ、液晶パネル２０ｄの背面に配置された図示しないＬＣＤバックライト２３、等が実装されている。
【００３９】
本実施の形態の場合、冷却システム１０の冷却ジャケット１３は、本体部２０ａのＣＰＵ２１に接して実装され、ポンプ１２はその近傍に実装され、ラジエータ１４は、ディスプレイ部２０ｂの液晶パネル２０ｄの背面側に配置され、チューブ１６は、冷却ジャケット１３、ポンプ１２、ラジエータ１４を接続するように、ヒンジ部２０ｃを経由して引き回されている。また、図７の例では、チューブ１６は、周辺チップ２８ｃ、外部記憶装置２８ａ、外部記憶装置２８ｂ、本体駆動バッテリ２９、の上を通過するように引き回されている。
【００４０】
サーマルセンサＳ１は冷却ジャケット１３に配置され、サーマルセンサＳ２はラジエータ１４に配置されている。
【００４１】
また、必要に応じて、サーマルセンサＳ３は、ポンプ１２接して配置され、サーマルセンサＳ４は、ヒンジ部２０ｃにおけるチューブ１６の通過部位に配置され、サーマルセンサＳ５はチューブ１６の引回し経路の一部（図７の例では、外部記憶装置２８ｂの上部）に配置されている。
【００４２】
図８〜図１０にて、本実施の形態における別種の省スペース型の情報処理装置２０−１の構成を説明する。
【００４３】
情報処理装置２０−１は、ディスプレイ部２０−１ｂの背面側に本体部２０−１ａを一体接続し、旋回台２０−１ｃの上に旋回自在および前後方向に傾動自在に支持させた構成となっている。
【００４４】
本体部２０−１ａの内部には、図１０等に例示されるように、ＣＰＵ２１、磁気ディスク装置等の外部記憶装置２８ａ、さらには、図７では図示していないが、キーボードコントローラ２２、ＬＣＤ用インバータ２４、等がマザーボード２７に搭載された状態で実装されている。
【００４５】
ディスプレイ部２０−１ｂには、液晶パネル２０−１ｄ、液晶パネル２０−１ｄの背面に配置された図示しないＬＣＤバックライト２３、下部の両側にスピーカ２０ｅが実装されている。
【００４６】
情報処理装置２０−１において、冷却システム１０の冷却ジャケット１３は、本体部２０−１ａのＣＰＵ２１に接して実装され、ポンプ１２はその近傍に実装され、ラジエータ１４は、ディスプレイ部２０−１ｂの液晶パネル２０−１ｄの背面側に配置され、チューブ１６は、本体部２０−１ａ側の冷却ジャケット１３、ポンプ１２と、液晶パネル２０−１ｄ側のラジエータ１４を接続するように、当該液晶パネル２０−１ｄを支持するフレーム部分等を貫通して引き回されている。
【００４７】
サーマルセンサＳ１は冷却ジャケット１３に配置され、サーマルセンサＳ２はラジエータ１４に配置されている。
【００４８】
また、必要に応じて、サーマルセンサＳ３は、ポンプ１２に接して配置され、サーマルセンサＳ５はチューブ１６の引回し経路の一部（図１０の例では、冷却ジャケット１３およびポンプ１２の近傍）に配置されている。
【００４９】
以下、図１、さらには図１１の線図等を参照して、本実施の形態の作用の一例について説明する。
【００５０】
制御部１１は、ＡＬＡＲＴ１信号Ａ１をＯＮにしてポンプ駆動部１５を起動した状態で、サーマルセンサＳ１の温度情報Ｔ１にて、ＣＰＵ２１等の放熱部の温度を監視し、図１および図４に例示されるような、当該温度情報Ｔ１の大小に応じたポンプ１２の動作周波数を設定することで、ポンプ１２による熱媒体Ｍの循環流量を制御して冷却能力を維持することで、ＣＰＵ２１等の放熱部の過熱を防止する。
【００５１】
また、なんらかの原因で、ＣＰＵ２１の過熱（図４の例では熱媒体Ｍの温度が１１０℃）が検出されたら、制御部１１は、ＡＬＡＲＴ３信号Ａ３をキーボードコントローラ２２に出力して、ＣＰＵ２１の動作を通常稼働時の定格の動作周波数よりも低い周波数で低速動作（低発熱量）で動作させるＣＰＵスロットリング状態に移行させ、さらにＣＰＵ２１の高温の過熱（図４の例では熱媒体Ｍの温度が１２０℃）が検出されたら、ＡＬＡＲＴ２信号Ａ２をキーボードコントローラ２２に出力して、ＣＰＵ２１の動作を停止させるシャットダウン処理を行う。
【００５２】
また、制御部１１からポンプ駆動部１５への、制御インタフェース１１ａによる、ポンプ１２への印加周波数の設定制御による流量制御の他に、図２および図１２に例示されるように、制御インタフェース１１ｂによる、ポンプ１２への印加電圧の設定制御による流量制御を行うこともできる。
【００５３】
上述の周波数による流量制御および電圧による流量制御のいずれの場合も、ポンプ駆動部１５を構成するトランス駆動ＩＣは、構成や制御が比較的複雑になる。
【００５４】
そこで、本実施の形態の場合には、周波数あるいは電圧を一定にした状態での、ＡＬＡＲＴ１信号Ａ１のＯＮ／ＯＦＦによる間欠的なポンプ１２の動作制御により流量の制御を行うこともできる。その場合、たとえば、周波数あるいは電圧を可能な範囲で最大に設定しておき、ＡＬＡＲＴ１信号Ａ１のＯＮ／ＯＦＦの間隔を制御することで、連続ＯＮによる最大流量から、連続ＯＦＦによる停止の範囲で任意の値に流量を制御することができる。
【００５５】
この場合、ポンプ駆動部１５を構成するトランス駆動ＩＣは、一定の周波数や電圧を出力する単純な構成でよく、ポンプ駆動部１５を含む熱媒体Ｍの循環制御系の構成や制御を大幅に簡略化できる。
【００５６】
（実施の形態２）
図１３は、本発明の他の実施の形態の作用の一例を示すフローチャートである。
【００５７】
この実施の形態２では、情報処理装置２０の停止後におけるＣＰＵ２１の余熱等に起因する過熱防止について説明する。
【００５８】
まず、制御部１１は、情報処理装置２０の電源ＯＦＦを検出すると（ステップ１０１）、サーマルセンサＳ１の温度情報Ｔ１にて、冷却ジャケット１３、すなわちＣＰＵ２１等の放熱部の温度を監視し、当該温度情報Ｔ１が、所定の値（図１３の例では、４０℃）以上の間（ステップ１０２）、ポンプ１２を作動させ続けて（ステップ１０３）、ＣＰＵ２１の冷却を継続し、ＣＰＵ２１の温度が所定の温度以下に冷えたら、ポンプ１２を含む冷却システム１０の動作を停止させる（ステップ１０４）。
【００５９】
このように、本実施の形態の場合には、情報処理装置２０の停止後も、そのＣＰＵ２１の温度が所定の値以下になるまで冷却を継続することで、ＣＰＵ２１の余熱等による過熱障害を防止することが可能になる。
【００６０】
以上本発明者によってなされた発明を実施の形態に基づき具体的に説明したが、本発明は前記実施の形態に限定されるものではなく、その要旨を逸脱しない範囲で種々変更可能であることはいうまでもない。
【００６１】
【発明の効果】
本発明によれば、省スペース型のパーソナルコンピュータ等の情報処理装置における小型化、静粛性、低消費電力等の実現と、高い動作周波数のマイクロプロセッサの採用による高性能化とを両立させることができる、という効果が得られる。
【００６２】
本発明によれば、液冷方式の冷却システムを備えた省スペース型のパーソナルコンピュータ等の情報処理装置において、熱媒体の循環系の構成や制御の簡略化を実現することができる、という効果が得られる。
【００６３】
本発明によれば、液冷方式の冷却システムを備えた省スペース型のパーソナルコンピュータ等の情報処理装置において、停止後の余熱による障害を防止することができる、という効果が得られる。
【図面の簡単な説明】
【図１】本発明の一実施の形態である冷却方法を実施する冷却システムを備えた情報処理装置の作用の一例を示す線図である。
【図２】本発明の一実施の形態である冷却方法を実施する冷却システムを備えた情報処理装置の作用の一例を示す線図である。
【図３】本発明の一実施の形態である情報処理装置における冷却システムの構成の一例を示す概念図である。
【図４】本発明の一実施の形態である情報処理装置における冷却システムの作用の一例を示す説明図である。
【図５】本発明の一実施の形態である情報処理装置における冷却システムの構成の変形例を示す概念図である。
【図６】本発明の一実施の形態である情報処理装置における冷却システムの作用の一例を示す説明図である。
【図７】本発明の一実施の形態である情報処理装置の内部構造の一例を示す透視斜視図である。
【図８】本発明の一実施の形態である別の情報処理装置の外観の一例を示す斜視図である。
【図９】本発明の一実施の形態である別の情報処理装置の内部構造の一例を示す斜視図である。
【図１０】本発明の一実施の形態である別の情報処理装置の内部構造の一例を示す斜視図である。
【図１１】（ａ）〜（ｃ）は、本発明の一実施の形態である情報処理装置における冷却システムの作用の一例を示す線図である。
【図１２】（ａ）〜（ｃ）は、本発明の一実施の形態である情報処理装置における冷却システムの作用の一例を示す線図である。
【図１３】本発明の他の実施の形態の作用の一例を示すフローチャートである。
【符号の説明】
１０…冷却システム、１１…制御部、１１ａ…制御インタフェース、１１ｂ…制御インタフェース、１２…ポンプ、１３…冷却ジャケット、１４…ラジエータ、１５…ポンプ駆動部、１５ａ…スイッチ、１５ｂ…トランス駆動ＩＣ、１６…チューブ、２０…情報処理装置、２０ａ…本体部、２０ｂ…ディスプレイ部、２０ｃ…ヒンジ部、２０ｄ…液晶パネル、２０ｅ…スピーカ、２０−１…情報処理装置、２０−１ａ…本体部、２０−１ｂ…ディスプレイ部、２０−１ｃ…旋回台、２０−１ｄ…液晶パネル、２１…ＣＰＵ、２２…キーボードコントローラ、２３…ＬＣＤバックライト、２４…ＬＣＤ用インバータ、２５…ＡＣアダプタ、２６…ＤＣ／ＤＣコンバータ、２７…マザーボード、２８ａ…外部記憶装置、２８ｂ…外部記憶装置、２８ｃ…周辺チップ、２９…本体駆動バッテリ、Ａ１…ＡＬＡＲＴ１信号、Ａ２…ＡＬＡＲＴ２信号、Ａ３…ＡＬＡＲＴ３信号、Ｍ…熱媒体、Ｓ１…サーマルセンサ、Ｓ２…サーマルセンサ、Ｓ３…サーマルセンサ、Ｓ４…サーマルセンサ、Ｓ５…サーマルセンサ、Ｔ１…温度情報、Ｔ２…温度情報、Ｔ３…温度情報、Ｔ４…温度情報、Ｔ５…温度情報。
【図１】
0003658317.tif 000002
【図２】
0003658317.tif 000003
【図３】
0003658317.tif 000004
【図４】
0003658317.tif 000005
【図５】
0003658317.tif 000006
【図６】
0003658317.tif 000007
【図７】
0003658317.tif 000008
【図８】
0003658317.tif 000009
【図９】
0003658317.tif 000010
【図１０】
0003658317.tif 000011
【図１１】
0003658317.tif 000012
【図１２】
0003658317.tif 000013
【図１３】
0003658317.tif 000014